(57)【要約】【課題】    異なる大きさの動物を１の動物洗浄装置によってうまく洗浄することができる動物洗浄装置を提供する。【解決手段】上方に開放された動物を洗浄する第１の洗浄空間を有する本体部と、上方に開放された動物を洗浄する第２の洗浄空間を有すると共に、第１の洗浄空間に少なくとも一部が収容される状態で本体部に装着される、本体部に着脱自在な着脱浴槽部と、を備えてなる、動物洗浄装置である。【選択図】  図４
2013247934.tif 000002
【特許請求の範囲】
【請求項１】
上方に開放された動物を洗浄する第１の洗浄空間を有する本体部と、
上方に開放された動物を洗浄する第２の洗浄空間を有すると共に、第１の洗浄空間に少なくとも一部が収容される状態で本体部に装着される、本体部に着脱自在な着脱浴槽部と、
を備えてなる、動物洗浄装置。
【請求項２】
着脱浴槽部が、第２の洗浄空間を形成し第１の洗浄空間に収容される有底無蓋の器部分と、器部分に連なり側方に突出するように形成されたつば部と、を含んでなり、
本体部の第１の洗浄空間とその外部空間とを連通させる開口を規定する上縁部又はその近傍につば部が係合することで、着脱浴槽部が本体部に装着されるものである、請求項１に記載の動物洗浄装置。
【請求項３】
前記開口を規定する前記上縁部に該開口に沿って段差が形成され、着脱浴槽部が本体部に装着された状態において、つば部の少なくとも外縁部分が段差に嵌入されるものである、請求項２に記載の動物洗浄装置。
【請求項４】
着脱浴槽部が、つば部の一部から連なるように形成され第２の洗浄空間の内方に向かって下降する傾斜面を有するものである、請求項２又は３に記載の動物洗浄装置。
【請求項５】
着脱浴槽部が本体部に装着された状態において、本体部が、傾斜面が連なるように形成されたつば部の前記一部に隣接し動物を載置する上面である載置面を有してなるものである、請求項４に記載の動物洗浄装置。
【請求項６】
着脱浴槽部が、第２の洗浄空間を規定する内面に手をかける手係合部を有するものである、請求項１乃至５のいずれか１に記載の動物洗浄装置。
【請求項７】
着脱浴槽部が、第２の洗浄空間とその外部空間とを連通させる底部に形成された排水孔を有するものである、請求項１乃至６のいずれか１に記載の動物洗浄装置。
【請求項８】
本体部が、着脱浴槽部が本体部に装着された状態においては第２の洗浄空間そして着脱浴槽部が本体部から取り外された状態においては第１の洗浄空間に水又は温水を注入する注入手段を備えるものである、請求項１乃至７のいずれか１に記載の動物洗浄装置。
【発明の詳細な説明】
【技術分野】
【０００１】
本発明は、動物洗浄装置に関し、より詳細には、犬や猫等のような動物を温水や水（必要に応じて石鹸類等を用いることもある）を用いて洗浄するための動物洗浄装置に関する。
【背景技術】
【０００２】
以前から、動物（例えば、犬や猫等のような所謂ペットと呼ばれる動物）を洗浄するための装置や器具が提案されてきた（例えば、特許文献１参照）。
特許文献１は、「浴槽内にペットを固定出来、さらに抜け毛の処理も簡単に行えると共に、排水を目的とする水抜穴やシャワーノズルやドライヤを手近な所に掛止できる器具支持柱も併せ持ったペット洗浄器具を提供」（特許文献１、段落番号０００４）するためになされたもので、「ペットの胴体部分が浸水し得る大きさの浴槽であり、該浴槽が底部乃至底部近傍に水抜き孔を、周壁部分にペット首固定部、抜け毛貯溜部、洗剤載置部を形成すすると共に、浴槽の周壁から可撓性の器具支持柱を立設したことを特徴とするペット洗浄器具」（特許文献１、請求項１）であり、かかるペット洗浄器具によれば「上記のように作製された、ペット洗浄器具としての浴槽は、先ず、浴槽内に例えばペットを入れ、その首輪を固定用環に繋ぐ。次に、シャワーノズルから噴射する温水でペットの略全身を濡らした後、ブラシとシャンプーとでペットの略全身に泡立てて洗う。そして、シャワーノズルを器具支持柱に支持させ、ブラシ等で充分に水洗するのである。ペットがシャンプーで充分に洗浄され、水洗いされると、水抜き孔から浴槽無いの水を排水し、ペットを乾燥させる。このペットの乾燥は先ずタオル等で全身を拭き、然る後、器具支持柱に掛止させたドライヤからの温風をペットに吹きつけながらブラシ等を用いて乾燥させるのである。ペットの全身が乾燥すると浴槽から出し、抜け毛貯溜部に溜まった抜け毛を始末するとペットの洗浄が終了するのである。」（特許文献１、段落番号０００７〜０００９）というものが開示されている。
【先行技術文献】
【特許文献】
【０００３】
【特許文献１】実開平６−５６１１号公報（例えば、要約、請求項１、考案の詳細な説明中の段落番号０００４〜００２０、第１図等）
【発明の概要】
【発明が解決しようとする課題】
【０００４】
特許文献１のペット洗浄器具においては、浴槽は、洗浄するペット（動物）の大きさに応じたものを使用する必要がある。即ち、動物に対して浴槽が大きすぎると動物が浴槽内を広範囲に動き回って洗浄が困難になるし、逆に動物に対して浴槽が小さすぎると動物を浴槽にうまく収容できなかったり洗浄作業がうまく行えないという問題が生じ得る。このためペットショップのように種々の大きさのペット（動物）を洗浄する必要が有る場合には、ペット（動物）の大きさ毎にペット洗浄器具を準備しておく必要がある（例えば、大型犬用、小型犬用）。
このように洗浄する動物の大きさ毎に動物洗浄装置（特許文献１においてはペット洗浄器具）を準備しようとすると、動物洗浄装置の購入や保守点検に係る費用が増加すると共に動物洗浄装置の設置に広い場所を要することになる。
そこで、本発明では、異なる大きさの動物を１の動物洗浄装置によってうまく洗浄することができる動物洗浄装置を提供することを目的とする。
【課題を解決するための手段】
【０００５】
本発明の動物洗浄装置（以下、「本装置」という。）は、上方に開放された動物を洗浄する第１の洗浄空間を有する本体部と、上方に開放された動物を洗浄する第２の洗浄空間を有すると共に、第１の洗浄空間に少なくとも一部が収容される状態で本体部に装着される、本体部に着脱自在な着脱浴槽部と、を備えてなる、動物洗浄装置である。
本装置は、本体部と、本体部に着脱自在な着脱浴槽部と、を備えてなる。
本体部は、上方に開放された第１の洗浄空間を有する。
着脱浴槽部は、上方に開放された第２の洗浄空間を有する。着脱浴槽部の少なくとも一部（即ち、一部又は全部）が第１の洗浄空間に収容される状態で着脱浴槽部は本体部に着脱自在に装着される。
第１の洗浄空間及び第２の洗浄空間のいずれの空間においても、動物を洗浄することができる。
こうすることで着脱浴槽部の第２の洗浄空間を第１の洗浄空間よりも小さくすることで、小さな動物を洗浄する場合には着脱浴槽部を本体部に装着し、第１の洗浄空間よりも小さな第２の洗浄空間において該小さな動物を洗浄することができると共に、大きな動物を洗浄する場合には着脱浴槽部を本体部から取り外し、第２の洗浄空間よりも大きな第１の洗浄空間において該大きな動物を洗浄することができる。また、着脱浴槽部を本体部に装着した状態では、着脱浴槽部の少なくとも一部（一部又は全部）が第１の洗浄空間に収容されるので、着脱浴槽部を本体部と別個に配設するよりも、場所をとらず異なる大きさの動物の洗浄にうまく対応することができる。即ち、本装置は、着脱浴槽部を本体部に対し着脱することで、異なる大きさの動物を１の動物洗浄装置によってうまく洗浄することを可能にするものである。
なお、「上方」とは、本装置を想定される設置状態に設置した場合（例えば、水平面に載置した場合）に鉛直上方向をいい、「上方に開放された空間」とは、該想定される設置状態に設置した場合に、本装置を構成する要素によって遮られることなく該空間を通過し鉛直上方向に延びる直線が存在することをいう。
【０００６】
本装置においては、着脱浴槽部が、第２の洗浄空間を形成し第１の洗浄空間に収容される有底無蓋の器部分と、器部分に連なり側方に突出するように形成されたつば部と、を含んでなり、本体部の第１の洗浄空間とその外部空間とを連通させる開口を規定する上縁部又はその近傍につば部が係合することで、着脱浴槽部が本体部に装着されるもの（以下、「つば部係合本装置」という。）であってもよい。
この場合、着脱浴槽部が、有底無蓋の器部分と、器部分に連なるように形成されたつば部と、を含む。器部分は、第１の洗浄空間に収容され、有底無蓋の器形状を構成し、この有底無蓋の器形状の内部空間が第２の洗浄空間を形成する。つば部は、側方に突出するよう器部分に連なるように形成される。側方とは、本装置を想定される設置状態に設置した場合（例えば、水平面に載置した場合）に水平方向をいい、「側方に突出する」とは、該想定される設置状態に設置した場合、鉛直な直線を含む平面によりつば部を切断した切断面において、つば部の内縁（器部分に連なる部分）から外縁（自由端）へ向かうベクトルが水平面に沿った成分を有するような該平面が存することをいう。
そして、このような着脱浴槽部の器部分を本体部の第１の洗浄空間に収容するようにすると、本体部の第１の洗浄空間とその外部空間とを連通させる開口を規定する上縁部又はその近傍に、着脱浴槽部のつば部が係合することで、着脱浴槽部が第１の洗浄空間に脱落することなく着脱浴槽部が本体部に装着される。
【０００７】
つば部係合本装置の場合、前記開口を規定する前記上縁部に該開口に沿って段差が形成され、着脱浴槽部が本体部に装着された状態において、つば部の少なくとも外縁部分が段差に嵌入されるものであってもよい。
こうすることで着脱浴槽部が本体部に装着された状態において、前記開口（本体部の第１の洗浄空間とその外部空間とを連通させる開口）に沿うように該開口を規定する前記上縁部に形成された段差に、つば部の少なくとも外縁部分が嵌入されるので、段差が形成された本体部に対する、段差に嵌入されたつば部の相対的な位置が不意に変化することを防止又は減少させることができ、それによって着脱浴槽部を本体部に確実に装着することができる。
【０００８】
つば部係合本装置の場合、着脱浴槽部が、つば部の一部から連なるように形成され第２の洗浄空間の内方に向かって下降する傾斜面を有するもの（以下、「傾斜面本装置」という。）であってもよい。
このように着脱浴槽部が傾斜面を有することで、傾斜面はつば部から第２の洗浄空間の内方に向かって下降するので、洗浄する動物をつば部（傾斜面が連なるつば部の部分）から傾斜面を歩行又は滑らせることで第２の洗浄空間に円滑に導き入れることができる。
【０００９】
傾斜面本装置の場合、着脱浴槽部が本体部に装着された状態において、本体部が、傾斜面が連なるように形成されたつば部の前記一部に隣接し動物を載置する上面である載置面を有してなるものであってもよい。
このように本体部が該載置面を有することで、着脱浴槽部が本体部に装着された状態において、着脱浴槽部の傾斜面が連なるように形成されたつば部の前記一部に該載置面が隣接するので、該載置面に載置した動物をつば部の前記一部を経由して傾斜面に誘導したり（洗浄する動物を該載置面から傾斜面を歩行又は滑らせて第２の洗浄空間に移動させる）、逆に、第２の洗浄空間にて洗浄された動物を傾斜面を歩行又は滑らせ、つば部の前記一部を経由し、該載置面に載置することができる（洗浄した動物を第２の洗浄空間から傾斜面を歩行又は滑らせて該載置面に移動させる。かかる状態で、例えば、洗浄により動物に付着した水分を円滑に拭き取ることができる。）。
【００１０】
本装置においては、着脱浴槽部が、第２の洗浄空間を規定する内面に手をかける手係合部を有するものであってもよい。
こうすることで着脱浴槽部の本体部に対する着脱作業を行う際、着脱浴槽部が有する手係合部に第２の洗浄空間側から作業者が手をかけて着脱浴槽部を本体部に対して相対的に移動させることができるので（第２の洗浄空間は上方に開放されているので、かかる手係合部に容易かつ確実に作業者は手をかけることができる。）、この脱着作業を安全かつ円滑に行うことができる。手係合部は、作業者が第２の洗浄空間側から手をかけることができるものであればいかなるものであってもよいが、例えば、第２の洗浄空間を規定する内面に取り付けられた取っ手又は紐（一端が該内面に取り付けられた紐や、一部が該内面に取り付けられた環状にされた紐等を例示できる。）や、第２の洗浄空間とその外部空間とを連通させる着脱浴槽部に形成された開口、該内面に形成された凹凸部分等を挙げることができる。
【００１１】
本装置においては、着脱浴槽部が、第２の洗浄空間とその外部空間とを連通させる底部に形成された排水孔を有するものであってもよい。
こうすることで第２の洗浄空間にて動物を洗浄する際に生じる廃水をこの排水孔から下方（第１の洗浄空間）へ排水でき、そして排水孔から下方へ排水された廃水は、第１の洗浄空間にて動物を洗浄する際に生じる廃水と同様に本装置外へ移送することができる（第２の洗浄空間にて動物を洗浄する際に生じる廃水を本装置外へ移送するために、第１の洗浄空間にて動物を洗浄する際に生じる廃水を本装置外へ移送する手段（例えば、廃水移送配管）を使用することができ別個の手段を要しないので、本装置の構成を簡潔にし本装置を安価に形成することができる。）。
なお、排水孔からの排水を許容及び禁止することができる手段（例えば、排水孔に着脱自在な栓、開閉弁等）を取り付けるようにしてもよく、そうすれば第２の洗浄空間にある程度の水を溜めた状態にすることもできる。
【００１２】
本装置においては、本体部が、着脱浴槽部が本体部に装着された状態においては第２の洗浄空間そして着脱浴槽部が本体部から取り外された状態においては第１の洗浄空間に水又は温水を注入する注入手段を備えるものであってもよい。
こうすることで水又は温水を注入する１の注入手段によって、着脱浴槽部が本体部に装着された状態の第２の洗浄空間と、着脱浴槽部が本体部から取り外された状態の第１の洗浄空間と、の両方に水又は温水を注入することができるので、これら第２の洗浄空間及び第１の洗浄空間それぞれ別個の注入手段を設ける必要がなく、本装置の構成を簡潔にし本装置を安価に形成することができる。
【図面の簡単な説明】
【００１３】
【図１】本発明の一実施形態に係る動物用洗浄装置（本装置）を示す正面図である。
【図２】本装置を示す平面図である。
【図３】本装置を示す右側面図である。
【図４】図２のＣ−Ｃ断面図である。
【図５】図１のＤ−Ｄ断面図である。
【図６】本体部を示す正面図である。
【図７】本体部を示す平面図である。
【図８】本体部を示す右側面図である。
【図９】図７のＣ−Ｃ断面図である。
【図１０】図６のＤ−Ｄ断面図である。
【図１１】小型浴槽部の正面図である。
【図１２】小型浴槽部を示す平面図である。
【図１３】小型浴槽部を示す右側面図である。
【図１４】小型浴槽部の斜視図である。
【発明を実施するための形態】
【００１４】
以下、本発明の実施の形態を図面を参照して説明する。しかしながら、これらによって本発明は何ら制限されるものではない。
【００１５】
図１は、本発明の一実施形態に係る動物用洗浄装置（本装置）１１を示す正面図であり、図２は本装置１１を示す平面図（図１中、矢印Ａ方向から見たところを示している）であり、図３は本装置１１を示す右側面図（図１中、矢印Ｂ方向から見たところを示している）であり、図４は図２のＣ−Ｃ断面図であり、そして図５は図１のＤ−Ｄ断面図である。さらに、図６は、本装置１１が備える小型浴槽部２１を本装置１１から取り外した本体部３１を示す正面図であり、図７は本体部３１を示す平面図（図６中、矢印Ａ方向から見たところを示している）であり、図８は本体部３１を示す右側面図（図６中、矢印Ｂ方向から見たところを示している）であり、図９は図７のＣ−Ｃ断面図であり、そして図１０は図６のＤ−Ｄ断面図である。加えて、図１１は小型浴槽部２１の正面図であり、図１２は小型浴槽部２１を示す平面図（図１１中、矢印Ａ方向から見たところを示している）であり、図１３は小型浴槽部２１を示す右側面図（図１１中、矢印Ｂ方向から見たところを示している）であり、図１４は小型浴槽部２１の斜視図である。図１乃至図１４を参照して、本装置１１について説明する。
本装置１１は、大まかには、本体部３１と、本体部３１に着脱自在な小型浴槽部２１と、を備えてなり、図示しない床面（通常、略水平面をなす）に設置され、犬や猫等のような動物を洗浄するために用いられる。
【００１６】
本体部３１は、動物を収容し洗浄するための洗浄空間３３を有する箱体部３５と、箱体部３５の前面側（図中、前方向を矢印Ｆにて示す）に形成された開口部３７を開閉する扉部３９と、箱体部３５の後面側（矢印Ｆとは反対方向）に形成された立ち上がり部４１と、箱体部３５の下面に取り付けられた４本の脚部４３と、を有してなる。
箱体部３５は、略直方体の形状を有しており、立ち上がり部４１と一体的にＦＲＰ（繊維強化プラスチック）によって形成されている。箱体部３５には、上面が開放された洗浄空間３３が形成されており、洗浄空間３３に連通するように排水部４５が形成されている。そして、箱体部３５の前面には、前述の通り、洗浄空間３３に動物（洗浄される動物）が出入りするための開口部３７が形成されており、開口部３７を開閉するための扉部３９が箱体部３５に取り付けられている（扉部３９は、図示しない蝶番により箱体部３５に回動自在に取り付けられており、扉部３９は開口部３７を液密的に閉じることができる）。なお、扉部３９は、洗浄空間３３に収容された動物（不図示）を外部２０１から観察可能にするために透明なガラス板３９ａ部分を有している。
立ち上がり部４１には、図示しない温水発生装置に本装置１１が接続された際、該温水発生装置から導かれた温水を噴射するシャワーヘッドや蛇口（いずれも不図示）が配設されており、これらシャワーヘッドや蛇口（いずれも不図示）からの温水によって動物（不図示）を洗浄することができる。
４本の脚部４３は、いずれも箱体部３５の下面に取り付けられ、該下面から下方への突出長さをそれぞれ調節できるようになっている。このため本装置１１が設置される図示しない床面が凹凸を有していたり該床面が水平に対して傾いていても本装置１１を水平を保って該床面に配設できる。
【００１７】
小型浴槽部２１は、本体部３１とは別体としてＦＲＰ（繊維強化プラスチック）によって形成されており、上面が開放された形状を有している。小型浴槽部２１は、有底無蓋の器形状をなし小型洗浄空間２１ｓを有する器部分２１ａと、器部分２１ａの上縁から連なるように形成されたつば状のフランジ部２１ｂと、を一体に有してなる。フランジ部２１ｂは、一平面に沿うように形成されており、箱体部３５の洗浄空間３３を規定する内壁３３ｃの最上部の内縁に沿って巡るように形成された凹部３４にフランジ部２１ｂの外縁近傍部分が嵌入されることで小型浴槽部２１は本体部３１に取り付けられている（本体部３１に対して小型浴槽部２１が水平方向に不意に移動したり、洗浄空間３３に小型浴槽部２１が不意に脱落することを防止している。）。また、小型浴槽部２１は、箱体部３５の凹部３４にフランジ部２１ｂの外縁近傍部分が嵌入されることで取り付けられているので（図１乃至図５に図示の状態）、小型浴槽部２１の指かけ部２１ｈ（オーバル形の開口）に手をかけ、小型浴槽部２１を箱体部３５から引き上げるように力を加えることで本体部３１から小型浴槽部２１を取り外すことができる（図６乃至図１０に図示の状態。本体部３１に小型浴槽部２１を取り付けるには、この逆の手順で凹部３４にフランジ部２１ｂ外縁近傍部分を嵌入すればよい）。なお、凹部３４にフランジ部２１ｂ外縁近傍部分を嵌入した状態では、器部分２１ａが洗浄空間３３に収容されるような形状及び大きさにされている。
【００１８】
かかる本装置１１の使用方法を簡単に説明する。
まず、大型の動物（例えば、大型犬）を洗浄する場合には、小型浴槽部２１を取り外して、図６乃至図１０の状態とする。扉部３９を開き開口部３７を開放した状態で、大型動物を外部２０１から洗浄空間３３へと開口部３７を経由して導き入れる。その後、扉部３９を閉じ開口部３７を閉鎖した状態（扉部３９は開口部３７を液密的に閉じる）にて、洗浄空間３３にて大型動物を洗浄する（上述の如く、図示しない温水発生装置から本装置１１に供給された温水を、立ち上がり部４１に配設されたシャワーヘッドや蛇口（不図示）から噴出させ、適宜、石鹸等を用いて洗浄する）。洗浄により生じる排水は、排水部４５から下方へと排出される。そして、洗浄が完了した大型動物を洗浄空間３３にて水分を拭き取り、その後、扉部３９を開き開口部３７を開放し、大型動物を洗浄空間３３から外部２０１へと開口部３７を経由して導き出せばよい。なお、図示していないが、排水部４５からの排水を許容及び禁止する手動弁が本装置１１（箱体部３５）の前面に配設されており、該弁を閉じた状態（排水禁止）にすれば洗浄空間３３内部にある程度の水を溜めた状態にすることもできる。
【００１９】
一方、小型の動物（例えば、小型犬）を洗浄する場合には、小型浴槽部２１を取り付けて、図１乃至図５の状態とする。小型動物を箱体部３５の上面３５ｃ側から小型浴槽部２１の小型洗浄空間２１ｓへ導き入れる。このとき箱体部３５上面３５ｃから連続するように形成された斜面部２１ｎ（箱体部３５上面３５ｃとほぼ同じ平面に属するフランジ部２１ｂ上面から小型洗浄空間２１ｓに向かってなだらかに下降する上面を有する部分）を小型浴槽部２１（器部分２１ａ）が有しているので、かかる斜面部２１ｎに沿って小型動物を箱体部３５上面３５ｃ側から小型洗浄空間２１ｓへ円滑に導き入れることができる。その後、小型洗浄空間２１ｓにて小型動物を洗浄する（洗浄自体は、上述した大型動物と同様、図示しない温水発生装置から本装置１１に供給された温水を、立ち上がり部４１に配設されたシャワーヘッドや蛇口（不図示）から噴出させ、適宜、石鹸等を用いて洗浄する）。なお、洗浄により生じる排水は、小型浴槽部２１（器部分２１ａ）の底部に形成した排水孔２１ｄから下方の洗浄空間３３へ排水され、さらに洗浄空間３３から排水部４５を経由して下方へと排出される。そして、洗浄が完了した小型動物を小型洗浄空間２１ｓ内又は箱体部３５上面３５ｃに載置して水分を拭き取ればよい。なお、図示していないが、排水孔２１ｄを封鎖する栓が排水孔２１ｄに着脱自在に取り付けられており（排水孔２１ｄからの排水を許容及び禁止することができる）、該栓を排水孔２１ｄに取り付け閉じた状態（排水禁止）にすれば小型洗浄空間２１ｓ内部にある程度の水を溜めた状態にすることもできる（洗浄空間３３に水を溜めるよりも、小型洗浄空間２１ｓに水を溜める方が少ない水量で同じ水深が得られるので節水に資する。）。
【００２０】
以上説明の通り、本装置１１は、上方に開放された動物を洗浄する第１の洗浄空間（洗浄空間３３）を有する本体部３１と、上方に開放された動物を洗浄する第２の洗浄空間（小型洗浄空間２１ｓ）を有すると共に、第１の洗浄空間（洗浄空間３３）に少なくとも一部が収容される状態で本体部３１に装着される、本体部３１に着脱自在な着脱浴槽部（小型浴槽部２１）と、を備えてなる、動物洗浄装置である。
そして、本装置１１においては、着脱浴槽部（小型浴槽部２１）が、第２の洗浄空間（小型洗浄空間２１ｓ）を形成し第１の洗浄空間（洗浄空間３３）に収容される有底無蓋の器部分２１ａと、器部分２１ａに連なり側方に突出するように形成されたつば部（フランジ部２１ｂ）と、を含んでなり、本体部３１の第１の洗浄空間（洗浄空間３３）とその外部（外部２０１）空間とを連通させる開口３３ｈを規定する上縁部３３ｈｆ又はその近傍につば部（フランジ部２１ｂ）が係合することで、着脱浴槽部（小型浴槽部２１）が本体部３１に装着されるものである。
本装置１１においては、前記開口３３ｈを規定する前記上縁部３３ｈｆに該開口３３ｈに沿って段差（凹部３４）が形成され、着脱浴槽部（小型浴槽部２１）が本体部３１に装着された状態において、つば部（フランジ部２１ｂ）の少なくとも外縁部分が段差（凹部３４）に嵌入されるものである（なお、ここでは段差（凹部３４）の深さとつば部（フランジ部２１ｂ）の厚みとが略同じにされているので、つば部（フランジ部２１ｂ）上面と載置面（上面３５ｃ）とが略同じ高さになっている。）。
【００２１】
本装置１１においては、着脱浴槽部（小型浴槽部２１）が、つば部（フランジ部２１ｂ）の一部から連なるように形成され第２の洗浄空間（小型洗浄空間２１ｓ）の内方に向かって下降する傾斜面（斜面部２１ｎの上面）を有するものである。
本装置１１においては、着脱浴槽部（小型浴槽部２１）が本体部３１に装着された状態において、本体部３１が、傾斜面（斜面部２１ｎの上面）が連なるように形成されたつば部（フランジ部２１ｂ）の前記一部に隣接し動物を載置する上面である載置面（上面３５ｃ）を有してなるものである。
本装置１１においては、着脱浴槽部（小型浴槽部２１）が、第２の洗浄空間（小型洗浄空間２１ｓ）を規定する内面に手をかける手係合部（指かけ部２１ｈ）を有するものである。
本装置１１においては、着脱浴槽部（小型浴槽部２１）が、第２の洗浄空間（小型洗浄空間２１ｓ）とその外部空間とを連通させる底部に形成された排水孔２１ｄを有するものである。
本装置１１においては、本体部３１が、着脱浴槽部（小型浴槽部２１）が本体部３１に装着された状態においては第２の洗浄空間（小型洗浄空間２１ｓ）そして着脱浴槽部（小型浴槽部２１）が本体部３１から取り外された状態においては第１の洗浄空間（洗浄空間３３）に水又は温水を注入する注入手段（ここでは立ち上がり部４１に配設された図示しないシャワーヘッドや蛇口）を備えるものである。
【符号の説明】
【００２２】
１１            本装置
２１            小型浴槽部
２１ａ          器部分
２１ｂ          フランジ部
２１ｄ          排水孔
２１ｈ          指かけ部
２１ｎ          斜面部
２１ｓ          小型洗浄空間
３１            本体部
３３            洗浄空間
３３ｃ          内壁
３３ｈ          開口
３３ｈｆ        上縁部
３４            凹部
３５            箱体部
３５ｃ          上面
３７            開口部
３９            扉部
３９ａ          ガラス板
４１            立ち上がり部
４３            脚部
４５            排水部
２０１            外部
【図１】
2013247934.tif 000003
【図２】
2013247934.tif 000004
【図３】
2013247934.tif 000005
【図４】
2013247934.tif 000006
【図５】
2013247934.tif 000007
【図６】
2013247934.tif 000008
【図７】
2013247934.tif 000009
【図８】
2013247934.tif 000010
【図９】
2013247934.tif 000011
【図１０】
2013247934.tif 000012
【図１１】
2013247934.tif 000013
【図１２】
2013247934.tif 000014
【図１３】
2013247934.tif 000015
【図１４】
2013247934.tif 000016